(57)【特許請求の範囲】
【請求項１】
筐体に形成される開口と、
前記開口を開閉自在に覆うカバーと、
前記カバーに設けられ、前記カバーが前記開口を開いた状態で前記筐体から抜けるのを防止する抜け止め部と、
前記開口に設けられ、前記カバーが前記開口を閉じた状態に前記カバーを支持する第１の支持部と、
前記筐体に設けられ、前記カバーが前記開口を開いた状態に前記カバーを支持する第２の支持部と、を備え、
前記カバーは、前記抜け止め部で引き出してから当該カバーを表裏方向に回転させて前記開口を開閉することを特徴とするカバー支持構造。
【請求項２】
筐体に形成される開口と、
前記開口を開閉自在に覆うカバーと、
前記カバーに設けられ、前記カバーが前記開口を開いた状態で前記筐体から抜けるのを防止する抜け止め部と、
前記開口に設けられ、前記カバーが前記開口を閉じた状態に前記カバーを支持する第１の支持部と、
前記筐体に設けられ、前記カバーが前記開口を開いた状態に前記カバーを支持する第２の支持部と、を備え、
前記第２の支持部と前記カバーに、互いに結合剥離自在な面ファスナーを備えることを特徴とするカバー支持構造。
【請求項３】
前記カバーに設けられ、前記第１の支持部及び第２の支持部に各々固定する共用の固定部を備えることを特徴とする請求項１に記載のカバー支持構造。
【請求項４】
前記カバーに設けられ、前記第１の支持部及び第２の支持部に各々固定する共用の固定部を備えることを特徴とする請求項２に記載のカバー支持構造。
【請求項５】
前記カバーは、前記抜け止め部で回転させて前記開口を開閉することを特徴とする請求項２または４に記載のカバー支持構造。
【請求項６】
前記固定部は、前記カバーの先端部に設けられることを特徴とする請求項４に記載のカバー支持構造。
【請求項７】
前記第２の支持部と前記カバーに、互いに結合剥離自在な面ファスナーを備えることを特徴とする請求項１または３に記載のカバー支持構造。
【請求項８】
前記第２の支持部と前記カバーの一方に設けられる磁石と、他方に設けられ、前記磁石に吸着される磁性体と、を備えることを特徴とする請求項１または３に記載のカバー支持構造。
【請求項９】
前記磁石に前記磁性体が吸着されているか否かを検出する磁気センサを備えることを特徴とする請求項８に記載のカバー支持構造。
【請求項１０】
前記開口の内部にスロットまたは端子を備えることを特徴とする請求項１から９のいずれか一項に記載のカバー支持構造。
【請求項１１】
請求項１から１０のいずれか一項に記載のカバー支持構造を備えることを特徴とする電子機器。
【発明の詳細な説明】
【技術分野】
【０００１】
本発明は、筐体に抜け止めして取り付けられるカバーを開けた状態に支持する構造と、そのカバー支持構造を備える電子機器に関する。
【背景技術】
【０００２】
携帯端末において、筐体内に設けられた端子部が露出する開口を開閉自在に覆うカバーを備えたものが特許文献１に示されている。 このカバーは筐体に対し抜け止めして取り付けられている。
そして、開口を開けた状態にカバーを曲げるヒンジ部と、そのヒンジ部で曲げた状態にカバーを固定する支持部とを、カバーと一体に設けたものが特許文献２に示されている。
【先行技術文献】
【特許文献】
【０００３】
【特許文献１】特開２００８‐１９２５３６号公報
【特許文献２】特開２００８‐２３５０６９号公報
【発明の概要】
【発明が解決しようとする課題】
【０００４】
しかし、特許文献１のものでは、筐体に抜け止めして取り付けられるカバーを開いている時に、そのカバーが動いてしまい、邪魔になってしまう場合がある。
また、特許文献２のものでは、カバーを開けた状態で、開口のほぼ半分にカバーが残って邪魔になり、開口を全開にできない。
【０００５】
本発明の課題は、筐体に抜け止めして取り付けられるカバーを開いている時に、そのカバーを開けた状態に固定して、開口をほぼ全開にすることである。
【課題を解決するための手段】
【０００６】
以上の課題を解決するため、請求項１に記載の発明は、筐体に形成される開口と、前記開口を開閉自在に覆うカバーと、前記カバーに設けられ、前記カバーが前記開口を開いた状態で前記筐体から抜けるのを防止する抜け止め部と、前記開口に設けられ、前記カバーが前記開口を閉じた状態に前記カバーを支持する第１の支持部と、前記筐体に設けられ、前記カバーが前記開口を開いた状態に前記カバーを支持する第２の支持部と、を備え、前記カバーは、前記抜け止め部で引き出してから当該カバーを表裏方向に回転させて前記開口を開閉するカバー支持構造を特徴とする。
また、請求項２に記載の発明は、筐体に形成される開口と、前記開口を開閉自在に覆うカバーと、前記カバーに設けられ、前記カバーが前記開口を開いた状態で前記筐体から抜けるのを防止する抜け止め部と、前記開口に設けられ、前記カバーが前記開口を閉じた状態に前記カバーを支持する第１の支持部と、前記筐体に設けられ、前記カバーが前記開口を開いた状態に前記カバーを支持する第２の支持部と、を備え、前記第２の支持部と前記カバーに、互いに結合剥離自在な面ファスナーを備えるカバー支持構造を特徴とする。
【０００７】
請求項３に記載の発明は、請求項１に記載のカバー支持構造であって、前記カバーに設けられ、前記第１の支持部及び第２の支持部に各々固定する共用の固定部を備えることを特徴とする。
請求項４に記載の発明は、請求項２に記載のカバー支持構造であって、前記カバーに設けられ、前記第１の支持部及び第２の支持部に各々固定する共用の固定部を備えることを特徴とする。
【０００８】
請求項５に記載の発明は、請求項２または４に記載のカバー支持構造であって、前記カバーは、前記抜け止め部で回転させて前記開口を開閉することを特徴とする。
【００１０】
請求項６に記載の発明は、請求項４に記載のカバー支持構造であって、前記固定部は、前記カバーの先端部に設けられることを特徴とする。
【００１２】
請求項７に記載の発明は、請求項１または３に記載のカバー支持構造であって、前記第２の支持部と前記カバーに、互いに結合剥離自在な面ファスナーを備えることを特徴とする。
【００１３】
請求項８に記載の発明は、請求項１または３に記載のカバー支持構造であって、前記第２の支持部と前記カバーの一方に設けられる磁石と、他方に設けられ、前記磁石に吸着される磁性体と、を備えることを特徴とする。
【００１４】
請求項９に記載の発明は、請求項８に記載のカバー支持構造であって、前記磁石に前記磁性体が吸着されているか否かを検出する磁気センサを備えることを特徴とする。
【００１５】
請求項１０に記載の発明は、請求項１から９のいずれか一項に記載のカバー支持構造であって、前記開口の内部にスロットまたは端子を備えることを特徴とする。
【００１６】
請求項１１に記載の発明は、請求項１から１０のいずれか一項に記載のカバー支持構造を備える電子機器を特徴とする。
【発明の効果】
【００１７】
本発明によれば、筐体に抜け止めして取り付けられるカバーを開いている時に、そのカバーを開けた状態に固定することができ、従って、開口をほぼ全開にすることができる。
【図面の簡単な説明】
【００１８】
【図１】本発明を適用した電子機器の実施形態１の構成を示すもので、携帯電話の筐体を示した斜視図である。
【図２】図１のカバーの拡大斜視図である。
【図３】図１のカバーの係合を外した図（ａ）と、カバーの回転途中の図（ｂ）と、カバーを回転して固定した図（ｃ）である。
【図４】変形例１を示すカバー部分の断面図である。
【図５】図４のカバーを開けて固定した状態の断面図である。
【図６】変形例２を示すカバー部分の断面図である。
【図７】図６のカバーを開けて固定した状態の断面図である。
【図８】変形例３を示すカバー部分の断面図である。
【図９】図８のカバーを開けて固定した状態の断面図である。
【図１０】変形例４を示すカバー部分の断面図である。
【図１１】図１０のカバーを開けて固定した状態の断面図である。
【図１２】実施形態２を示すもので、携帯電話の筐体を示した斜視図である。
【図１３】図１２のカバーの係合を外した図（ａ）と、カバーを折り返して固定した図（ｂ）である。
【図１４】変形例５を示すカバー部分の断面図である。
【図１５】図１４のカバーを開けて固定した状態の断面図である。
【図１６】実施形態３を示すもので、携帯電話の筐体を示した斜視図である。
【図１７】図１６のカバーを開けて固定した状態の図である。
【図１８】実施形態４を示すもので、携帯電話の筐体を示した斜視図である。
【図１９】図１８のカバーの拡大斜視図である。
【図２０】図１８のカバーを開けて固定した状態の図である。
【発明を実施するための形態】
【００１９】
以下、図を参照して本発明を実施するための形態を詳細に説明する。
（実施形態１）
図１は本発明を適用した電子機器の実施形態１の構成として携帯電話の筐体を示したもので、１は筐体、２は操作部、３は開口、５はカバーである。
【００２０】
図示例において、筐体１は、上面に操作部２を備えて、一側面には開口３を開閉自在に覆うカバー５が装着されている。なお、筐体１は、図示しない表示部を備える筐体とヒンジ結合される。
【００２１】
図２はカバー５を拡大したもので、５１は抜け止め部、５２は固定部である。
【００２２】
カバー５は弾性を具備する樹脂材料により形成されて、内面の一端部に、筐体１の開口３の内部に組み込まれる棒状大径部による抜け止め部５０が一体に形成されている。さらに、カバー５の内面の両端部には、開口３の内部に支持され、且つ、筐体１の開口３よりも外側に支持される爪状突起による固定部５１が一体に形成されている。
【００２３】
図３はカバー５の開閉状態を示したもので、４はスロット、６はメモリカード、１２は開口外支持部、３１は開口内支持部である。
【００２４】
開口３の内部には、メモリカード６を挿入するスロット４が設けられている。そして、開口３の内部の両端部には、開口３を閉じた状態でカバー５の爪状突起による固定部５１を受け入れる、鉤状凹みによる開口内支持部３１が形成されている。また、筐体１の開口３に対し一側方の外側面には、開口３を開いた状態でカバー５の抜け止め部５０と反対側の爪状突起による固定部５１を受け入れる、鉤状凹みによる開口外支持部１２が形成されている。
【００２５】
カバー５を開ける際は、先ず、図３（ａ）に示すように、カバー５の両端の爪状突起による固定部５１を、鉤状凹みによる開口内支持部３１から抜いて係合を外す。続いて、図３（ｂ）に示すように、カバー５を抜け止め部５０を中心に１８０度回転する。そして、図３（ｃ）に示すように、カバー５の抜け止め部５０と反対側の爪状突起による固定部５１を、筐体１の開口３に対し一側方の外側面に設けられた、鉤状凹みによる開口外支持部１２に挿入して係合状態に固定する。
【００２６】
従って、開口３内部のスロット４にメモリカード６を挿入することができる。
【００２７】
以上、実施形態の携帯電話によれば、筐体１に、開口３を開いた状態にカバー５の抜け止め部５０と反対側の爪状突起による固定部５を受け入れる、鉤状凹みによる開口外支持部１２を形成したので、筐体１に抜け止めして取り付けられるカバー５を開いている時に、そのカバー５を開けた状態に固定して、開口３をほぼ全開にすることができる。
【００２８】
従って、開口３内部のスロット４に対するメモリカード６の挿入／引き抜きを支障なく確実に行うことができる。
【００２９】
（変形例１）
図４及び図５は変形例１を断面で示すもので、前述した実施形態１と同様、１は筐体、１２は開口外支持部、３は開口、３１は開口内支持部、４はスロット（または端子）、５はカバー、５０は抜け止め部、６はメモリカード（またはコネクタ）であって、５１は第１の固定部、５２は第２の固定部である。
【００３０】
変形例１は、図示のように、カバー５の両端の爪状突起による第１の固定部５１に加えて、カバー５の内面で抜け止め部５０と反対側の一端部に、筐体１の開口３に対し一側方の外側面の鉤状凹みによる開口外支持部１２に挿入されて係合する、爪状突起による第２の固定部５２を形成したものである。
【００３１】
カバー５を開ける際は、前述した実施形態１と同様、カバー５の両端の爪状突起による第１の固定部５１を鉤状凹みによる開口内支持部３１から抜いて係合を外してから、カバー５を抜け止め部５０を中心に１８０度回転する。そして、図５に示したように、カバー５の抜け止め部５０と反対側の爪状突起による第２の固定部５２を、筐体１の開口３に対し一側方の外側面に設けられた、鉤状凹みによる開口外支持部１２に挿入して係合状態に固定する。
【００３２】
このように、カバー５に第１の固定部５１と第２の固定部５２を設けてもよい。
【００３３】
（変形例２）
図６及び図７は変形例２を断面で示すもので、１は筐体、３は開口、３１は開口内支持部、５はカバー、５０は抜け止め部であって、５１は第１の固定部、７は面ファスナー、７１は開口外支持部、７２は第２の固定部である。
【００３４】
変形例２は、図示のように、筐体１の開口３に対し一側方の外側面に開口外支持部として、面ファスナー７を構成する一方の面ファスナー半体７１を接着して設けている。そして、カバー５には、その両端の爪状突起による第１の固定部５１に加えて、抜け止め部５０と反対側の内面に、筐体１の外側面に設けた面ファスナー半体７１に貼り付けて密着される、第２の固定部としての面ファスナー半体７２を接着して設けたものである。
【００３５】
カバー５を開ける際は、前述した実施形態１と同様、カバー５の両端の爪状突起による第１の固定部５１を鉤状凹みによる開口内支持部３１から抜いて係合を外してから、カバー５を抜け止め部５０を中心に１８０度回転する。そして、図７に示したように、筐体１の外側面に設けた面ファスナー半体７１に、カバー５の内面に設けた面ファスナー半体７２を貼り付けて密着状態に固定する。
【００３６】
このように、筐体１とカバー５に面ファスナー７を設けてもよい。
【００３７】
（変形例３）
図８及び図９は変形例３を断面で示すもので、１は筐体、３は開口、３１は開口内支持部、５はカバー、５０は抜け止め部であって、１３は凹み部、１４は面取り部、５１は第１の固定部、８は磁石、９は磁性体である。
【００３８】
変形例３は、図示のように、筐体１の開口３に対し一側方の外側面に磁石８を設けて、カバー５の内面に磁性体９を設けたものである。
【００３９】
すなわち、筐体１の開口３に対し一側方の外側面に若干離間して隣接する開口外支持部として板状の磁石８を設けている。具体的には、筐体１の開口３に対し一側方の外側面に若干離間して形成した凹み部１３に板状の磁石８を接着したものである。図示例において、この磁石８の表面は筐体１の表面に対し若干凹んだ段差部となっており、凹み部１３の開口３と反対側の端部は滑らかな曲面状の面取り部１４となっている。
【００４０】
そして、カバー５の内面には、磁石８に吸着される、金属板による磁性体９を接着して設けている。図示例では、この金属板による磁性体９の両端を爪状突起による第１の固定部５１としている。
【００４１】
カバー５を開ける際は、前述した実施形態１と同様、カバー５の磁性体９両端の爪状突起による第１の固定部５１を鉤状凹みによる開口内支持部３１から抜いて係合を外してから、カバー５を抜け止め部５０を中心に１８０度回転する。そして、図９に示したように、筐体１の開口３に対し一側方の外側面に若干離間して隣接した磁石８に、カバー５の内面に設けた磁性体９を吸着させて密着状態に固定する。
【００４２】
このように、筐体１に磁石８を設けて、カバー５に磁性体９を設けてもよい。
【００４３】
なお、カバー５の内面に埋めるように磁性体９を設けてもよい。また、実施形態とは逆に、カバー５に磁石８を設けて、筐体１に磁性体９を設けてもよい。
【００４４】
さらに、磁石８の磁場（磁界）の大きさ及び方向を計測するホール素子等の磁気センサを設けて、その磁気センサにより開口３の開閉状態を検知してもよい。
【００４５】
（変形例４）
図１０及び図１１は変形例４を断面で示すもので、前述した実施形態１と同様、１は筐体、１２は開口外支持部、３は開口、３１は開口内支持部、４はスロット（または端子）、５はカバー、５０は抜け止め部、５１は固定部、６はメモリカード（またはコネクタ）であって、１５は曲面部である。
【００４６】
変形例４は、図示のように、筐体１の開口３に対し一側方の外側面は、鉤状凹みによる開口外支持部１２までが途中から滑らかな曲面部１５に形成されている。
【００４７】
カバー５を開ける際は、前述した実施形態１と同様、カバー５の両端の爪状突起による固定部５１を鉤状凹みによる開口内支持部３１から抜いて係合を外してから、カバー５を抜け止め部５０を中心に１８０度回転する。そして、図１１に示したように、カバー５の抜け止め部５０と反対側の爪状突起による固定部５１を、筐体１の開口３に対し一側方の外側面に設けられた、鉤状凹みによる開口外支持部１２に挿入して係合状態に固定するとともに、曲面部１５に沿ってカバー５を重ねる。
【００４８】
このように、筐体１の開口３と開口外支持部１２との間を曲面部１５としてもよい。
【００４９】
（実施形態２）
図１２は実施形態２を示すもので、前述した実施形態１と同様、１は筐体、２は操作部、５はカバーであって、３は第１の開口、３２は第２の開口である。図示のように、筐体１の一側面には、第１の開口３と若干離間して第２の開口３２が形成されている。
【００５０】
図１３はカバー５の開閉状態を示したもので、４は端子、６はコネクタ、３１は開口内支持部、５０は抜け止め部、５１は固定部である。図示のように、第１の開口３の内部には、コネクタ６を挿入して接続する端子４が設けられている。
【００５１】
カバー５を開ける際は、先ず、図１３（ａ）に示すように、カバー５の両端の爪状突起による固定部５１を鉤状凹みによる開口内支持部３１から抜いて係合を外す。続いて、図１３（ｂ）に示すように、カバー５を抜け止め部５０を支点に裏返す。そして、カバー５の抜け止め部５０と反対側の爪状突起による固定部５１を、筐体１の第１の開口３に対し一側方に離間した第２の開口３２に挿入して係合状態に固定する。
【００５２】
従って、第１の開口３内部の端子４にコネクタ６を挿入して接続することができる。
【００５３】
以上、実施形態２の携帯電話によれば、筐体１に、第１の開口３を開いた状態のカバー５の抜け止め部５０と反対側の爪状突起による固定部５を受け入れる第２の開口３２を形成したので、筐体１に抜け止めして取り付けられるカバー５を開いている時に、そのカバー５を開けた状態に固定して、第１の開口３をほぼ全開にすることができる。
【００５４】
従って、第１の開口３内部の端子４に対するコネクタ６の挿入／引き抜きを支障なく確実に行うことができる。
【００５５】
（変形例５）
図１４及び図１５は変形例５を断面で示すもので、前述した実施形態２及び変形例４と同様、１は筐体、１２は開口外支持部、１５は曲面部、３は開口、３１は開口内支持部、４は端子、５はカバー、５０は抜け止め部、５１は固定部、６はコネクタである。
【００５６】
カバー５を開ける際は、前述した実施形態２と同様、カバー５の両端の爪状突起による固定部５１を鉤状凹みによる開口内支持部３１から抜いて係合を外してから、図１５に示したように、カバー５を抜け止め部５０を支点に裏返す。そして、カバー５の抜け止め部５０と反対側の爪状突起による固定部５１を含む先端部を、筐体１の開口３に対し一側方の外側面に設けられた、鉤状凹みによる開口外支持部１２に挿入して係合状態に固定するとともに、曲面部１５に沿ってカバー５を重ねる。
【００５７】
このように、筐体１の開口３と開口外支持部１２との間を曲面部１５としてもよい。
【００５８】
なお、変形例５において、図１５に示したように、カバー５を抜け止め部５０を支点に裏返した状態が初期状態となるように、例えば形状記憶合金を用いる等してバネ性を備えて裏返した状態のカバー５とし、そのバネ性に抗して、図１４に示すように、開口３をカバー５で閉じるようにしてもよい。
【００５９】
（実施形態３）
図１６及び図１７は実施形態３を示すもので、前述した実施形態２と同様、１は筐体、２は操作部、３は開口、３１は開口内支持部、４は端子、５はカバー、６はコネクタ、５０は抜け止め部、５１は固定部であって、１６・１７は支持爪である。
【００６０】
図示のように、筐体１の開口３の周囲で開口内支持部３１と反対側に上下に離間する二本の支持爪１６・１７を形成する。図示例では、上下の支持爪１６と支持爪１７は異形状をなしている。
【００６１】
カバー５を開ける際は、先ず、カバー５の両端の爪状突起による固定部５１を鉤状凹みによる開口内支持部３１から抜いて係合を外す。続いて、図１７に示すように、カバー５を抜け止め部５０を支点に裏返す。そして、カバー５の抜け止め部５０側の端部を、抜け止め部５０の上下に位置する支持爪１６・１７を乗り越えて係合状態に固定する。
【００６２】
以上、実施形態３の携帯電話によれば、筐体１の開口３の周囲に、その開口３を開いた状態のカバー５の抜け止め部５０の両側に位置する支持爪１６・１７を形成したので、筐体１に抜け止めして取り付けられるカバー５を開いている時に、そのカバー５を開けた状態に固定して、開口３をほぼ全開にすることができる。
【００６３】
（実施形態４）
図１８は実施形態４を示すもので、１は筐体、３は開口、５はカバーであって、１８は支持爪である。図示のように、筐体１の先端部に開口３が形成されて、開口３を覆うカバー５が設けられており、開口３の周囲の上辺部に沿って支持爪１８が形成されている。
【００６４】
図１９はカバー５を拡大したもので、５０は抜け止め部、５１は固定部である。図示のように、カバー５には、上下の一端部に沿ったアーチ状の抜け止め部５０と、左右両端部の爪状突起による固定部５１が形成されている。
【００６５】
図２０はカバー５を開けた状態を示したもので、４は端子、６はコネクタ、３１は開口内支持部である。
【００６６】
カバー５を開ける際は、先ず、カバー５の両端の爪状突起による固定部５１を鉤状凹みによる開口内支持部３１から抜いて係合を外す。続いて、図２０に示すように、カバー５を抜け止め部５０を支点に裏返す。そして、カバー５の抜け止め部５０側の端部を、アーチ状の抜け止め部５０間に位置する支持爪１８を乗り越えて係合状態に固定する。
【００６７】
以上、実施形態４の携帯電話によれば、筐体１の開口３の周囲に、その開口３を開いた状態のカバー５のアーチ状の抜け止め部５０間に位置する支持爪１８を形成したので、筐体１に抜け止めして取り付けられるカバー５を開いている時に、そのカバー５を開けた状態に固定して、開口３をほぼ全開にすることができる。
【００６８】
（他の変形例）
なお、以上の実施形態においては、携帯電話としたが、本発明はこれに限定されるものではなく、ＰＤＡ、ノートパソコン、ウェアラブルパソコン、電卓、電子辞書などで端子部等を覆うカバーを備えた電子機器の全てに用いることができる。
また、端子部はカード、イヤホン、外付のスピーカ、マイク、表示、キーボード、他の機器などを接続するものであってもよい。
そして、スロットに接続したメモリカードや、端子に接続したコネクタに対し、カバーを面ファスナーで支持するようにしてもよい。
【００６９】
また、実施形態とは逆に、固定部がカバー先端部の凹み、第２の支持部が突起であってもよい。
さらに、電池収納部の蓋でもよく、要は収納部や接続部等のカバーの全てに適用可能である。
また、カバーの形状等も任意であり、その他、具体的な細部構造等についても適宜に変更可能であることは勿論である。
【符号の説明】
【００７０】
１  筐体
１２  第２の支持部
１３  凹み部
１４  面取り部
１５  曲面部
１６  第２の支持部
１７  第２の支持部
１８  第２の支持部
２  操作部
３  開口
３１  第１の支持部
３２  第２の開口
４  スロット/端子
５  カバー
５０  抜け止め部
５１  第１の固定部（共用の固定部）
５２  第２の固定部
６  メモリカード/コネクタ
７  面ファスナー
７１  第２の支持部
７２  第２の固定部
８  磁石
９  磁性体
【図１】
0005403675.tif 000002
【図２】
0005403675.tif 000003
【図３】
0005403675.tif 000004
【図４】
0005403675.tif 000005
【図５】
0005403675.tif 000006
【図６】
0005403675.tif 000007
【図７】
0005403675.tif 000008
【図８】
0005403675.tif 000009
【図９】
0005403675.tif 000010
【図１０】
0005403675.tif 000011
【図１１】
0005403675.tif 000012
【図１２】
0005403675.tif 000013
【図１３】
0005403675.tif 000014
【図１４】
0005403675.tif 000015
【図１５】
0005403675.tif 000016
【図１６】
0005403675.tif 000017
【図１７】
0005403675.tif 000018
【図１８】
0005403675.tif 000019
【図１９】
0005403675.tif 000020
【図２０】
0005403675.tif 000021